(57)【特許請求の範囲】
【請求項１】
下部筐体と、前記下部筐体の上部に設けられた上部筐体と、前記上部筐体を前記下部筐体に対して回転可能に支持するシャフトと、前記上部筐体の内部に配置されるとともに前記シャフトを中心に前記上部筐体を前記下部筐体に対して回転する駆動手段とを備え、
前記下部筐体は、所定の形状の第１下部筐体部材及び第２下部筐体部材を組み付けてなるとともに、前記第１下部筐体部材及び前記第２下部筐体部材に跨るプレート部材を備え、
前記シャフトの下端部は、前記第１下部筐体部材及び前記第２下部筐体部材の間に挟み込むものとし、
前記第１下部筐体部材及び前記第２下部筐体部材には、前記シャフトの下端部を嵌装する一対の半円筒部をそれぞれ設け、
前記プレート部材は、前記一対の半円筒部を合わせた状態で挿入する孔部を備えたことを特徴とする駆動装置。
【請求項２】
前記プレート部材は、前記上部筐体の内部に位置するとともに、前記駆動手段は、前記プレート部材に支持したことを特徴とする請求項１記載の駆動装置。
【発明の詳細な説明】
【技術分野】
【０００１】
本発明は、筐体を駆動する駆動装置に関し、特に、上部筐体を下部筐体に対して回転可能に支持するシャフトを備えたものである。
【背景技術】
【０００２】
近年では、人形型の目覚し時計等、玩具としての様相に富んだ時計が好まれる傾向にある。この種の時計は、筐体の所定の部位を駆動する駆動装置を用いてなり、予定時刻になるとスピーカから報知音を発生するとともに、筐体が駆動する構成となっている。特許文献１乃至３には、この種の時計に利用される優れた駆動装置が開示されている。
【特許文献１】特許第３７３７７３５号明細書
【特許文献２】特許第３８１３９０４号明細書
【特許文献３】特開２００３−６６１６５号公報
【発明の開示】
【発明が解決しようとする課題】
【０００３】
さて、このような駆動装置については、面白い動きを設定するとともに、その筐体の内部のスペースを有効に利用するための構成が重要とされる。例えば、本願発明者は、時計の本体機構を収納する下部筐体にシャフトを支持して、そのシャフトを中心に上部筐体を水平方向に回転させる構成を発案し、その設計を試みたところ、下部筐体に対するシャフトの支持構造が非常に重要な課題となることが判明した。すなわち、シャフトが下部筐体の内部に延出していると、下部筐体の内部のレイアウトが著しく制約されてしまうため、この問題に対処するための工夫が必要であると考えられる。
【０００４】
本発明は、かかる事情に鑑みてなされたものであり、その目的は、筐体を合理的に駆動するとともにその内部構造を簡素化してなる駆動装置を提供することである。
【課題を解決するための手段】
【０００５】
本願第１請求項に記載した発明は、下部筐体と、前記下部筐体の上部に設けられた上部筐体と、前記上部筐体を前記下部筐体に対して回転可能に支持するシャフトと、前記上部筐体の内部に配置されるとともに前記シャフトを中心に前記上部筐体を前記下部筐体に対して回転する駆動手段とを備え、前記下部筐体は、所定の形状の第１下部筐体部材及び第２下部筐体部材を組み付けてなるとともに、前記第１下部筐体部材及び前記第２下部筐体部材に跨るプレート部材を備え、前記シャフトの下端部は、前記第１下部筐体部材及び前記第２下部筐体部材の間に挟み込むものとし、前記第１下部筐体部材及び前記第２下部筐体部材には、前記シャフトの下端部を嵌装する一対の半円筒部をそれぞれ設け、前記プレート部材は、前記一対の半円筒部を合わせた状態で挿入する孔部を備えた構成の駆動装置である。
【０００６】
本願第２請求項に記載した発明は、請求項１において、前記プレート部材は、前記上部筐体の内部に位置するとともに、前記駆動手段は、前記プレート部材に支持した構成の駆動装置である。
【発明の効果】
【０００７】
本発明によれば、筐体を合理的に駆動するとともにその内部構造を簡素化してなる駆動装置を得ることができる。
【発明を実施するための最良の形態】
【０００８】
以下に、本発明の実施例を図面に基づいて説明する。図１乃至図７に示す本例の駆動装置１は、人形型の目覚し時計を構成するものとなっている。この駆動装置１は、下部筐体２１０と、下部筐体２１０の上部に設けられた上部筐体２２０と、上部筐体２２０を下部筐体２１０に対して回転可能に支持するシャフト３００と、上部筐体２２０の内部に配置されるとともにシャフト３００を中心に上部筐体２２０を下部筐体２１０に対して回転する駆動手段４００と、上部筐体２２０の内面に支持されたスピーカ５００とを備えたものである。
【０００９】
下部筐体２１０は、人形の胴体を模したものであり、上部筐体２２０は、人形の頭部を模したものである。そして、予め設定された所定の時刻になると、上部筐体２２０が水平方向に正逆回転すると同時に、スピーカ５００から音を発生する構成となっている。
【００１０】
下部筐体２１０の内部には、計時手段１１０、電池ボックス１２０、及び制御回路（図示は省略）が収納されている。下部筐体２１０の正面には、時刻表示部１３０が設けられており、背面には、所要の操作子１４０が露呈されている。計時手段１１０、駆動手段４００、及びスピーカ５００は、制御回路にて制御される構成となっている。
【００１１】
上部筐体２２０は、スピーカ５００に対応する位置に音孔２２０ａが設けられたものである。また、スピーカの音が上部筐体２２０の内部で共鳴することにより、その音質を向上するものとなっている。すなわち、上部筐体２２０がスピーカ５００のエンクロージャとして作用するものとなっている。
【００１２】
本例の場合、上部筐体２２０は、シャフト３００の上端部を遊嵌する軸受ボス２２０ｂを備えている。上部筐体２２０の内面要所には、軸受ボス２２０ｂの構成部材を装着する装着部２２０ｃが設けられている。シャフト３００の下端部は、下部筐体２１０側に支持されている。
【００１３】
駆動手段４００は、モータ４１０と、モータ４１０の動力にて水平方向に回転する回転出力部４２０と、回転出力部４２０と係合するとともに軸受ボス２２０ｂを中心に揺動可能に設けられたカム体４３０と、カム体４３０と上部筐体２２０とを支持する弾性体４４０とを備えている。具体的な構造は特に限定しないが、本例ではモータ４１０の出力カナに連結されたウォームギアが回転出力部４２０を回転するものとなっている。カム体４３０は、回転出力部４２０を係合する長溝を有する部材であり、軸受ボス２２０ｂに貫通された状態で設けられている。本例の弾性体４４０は、一方の端部をカム体４３０に固定されるとともに、他方の端部を上部筐体２２０の内面に固定されたコイルバネである。弾性体４４０の一方の端部及びカム体の要所、並びに、弾性体４４０の他方の端部及び上部筐体２２０の内面の要所には、フック及びフックの係止部がそれぞれ設けられている。弾性体４４０は、各フックを各係止部に係止して、ある程度伸張した状態で装着されている。
【００１４】
この駆動手段４００は、下部筐体２１０の上部に設けられたプレート部材２１３に支持して設けられている。
【００１５】
尚、軸受ボス２２０ｂの内部上面には、リング状の突片２２０ｄが形成されており、シャフト３００の頂部との磨耗によっても当接面積が変化しないように工夫が施されている。
【００１６】
上部筐体２２０は、前後２分割タイプの筐体であり、シャフト３００及び駆動手段４００を覆うように組み付けられる。下部筐体２１０に対しては、その底面がプレート部材２１３に突き当たることよって抜け止めされている。
【００１７】
このような構成によると、カム体４３０が回転出力部４２０に連動して揺動し、上部筐体２２０が弾性体４４０に牽引されつつ正逆回転する。また、上部筐体４４０に外部負荷がかかると、弾性体４４０が弾性変形して上部筐体２２０がカム体４３０に対して相対移動する。
【００１８】
つまり、上部筐体２２０は、手で押える等して自在に移動させることができる。また、駆動中の上部筐体２２０に触れても、弾性体４４０が弾性変形するので、駆動手段４００が停止したり破損したりする心配はない。上部筐体２２０は、負荷が解消されると弾性体４４０の復元力にて本来の位置に復帰する。
【００１９】
本例の構成によれば、上部筐体２２０がスピーカ５００のエンクロージャとして作用するので、スピーカ５００の音質が確実に向上されるという利点がある。特に、その上部筐体２２０の内部に駆動手段４００を配置しているので、駆動手段４００の駆動に伴うモータ音が効率よくかき消されるという効果がある。すなわち、モータ音が耳障りとなる不都合を解消することができる。
【００２０】
尚、上部筐体２２０の内面に対するスピーカ５００の支持構造は、特に限定はしないが、本例では、上部筐体２００の内面に音孔２２０ａを囲む円筒部２２０ｅを設け、この円筒部２２０の先端にスピーカ５００を支持している。円筒部２２０ｅには、適宜間隔で複数の開口部２２０ｆが設けられており、スピーカ５００から発生した音は、開口部２２０ｆから漏れて上部筐体２２０の内部に発散する構成となっている。
【００２１】
また、駆動手段４００の動力は、弾性体４４０を介して上部筐体２２０に伝達される。従って、上部筐体２２０は、駆動中においても空気振動に対して比較的共鳴しやすいものとなっており、これがスピーカ５００の音質を向上するという点で、非常に効果的な構成となっている。
【００２２】
次に、本例の下部筐体２１０について説明する。この下部筐体２１０は、上部筐体２２０と同じく前後２分割タイプの筐体である。具体的には、所定の形状の第１下部筐体部材２１１及び第２下部筐体部材２１２を組み付けてなるとともに、第１下部筐体部材２１１及び第２下部筐体部材２１２に跨るプレート部材２１３を備え、シャフト３００の下端部は、第１下部筐体部材２１１及び第２下部筐体部材２１２の間に挟み込むものとなっている。
【００２３】
第１下部筐体部材２１１及び第２下部筐体部材２１２には、シャフト３００の下端部を嵌装する一対の半円筒部２１１ａ，２１２ａをそれぞれ設けている。一対の半円筒部２１１ａ，２１２ａは、上部筐体２２０の内部に向って突出している。シャフト３００の下端部と一対の半円筒部２１１ａ，２１２ａとは、上下方向に凹凸嵌合する形状となっており、これにより、下部筐体２１０に対するシャフト３００の抜け止めがなされている。
【００２４】
プレート部材２１３は、一対の半円筒部２１１ａ，２１２ａを合わせた状態で挿入する孔部２１３ａと、これを第１下部筐体部材２１１にねじ止め又はピン止めするための通孔２１３ｂと、これを第１下部筐体部材２１１にねじ止め又はピン止めするための通孔２１３ｃと、駆動手段４００を固定するための雌ねじボス２１３ｄとを備えた部材である。このプレート部材２１３は、上部筐体２２０の内部に位置するとともに、駆動手段４００は、プレート部材２１３に支持されている。
【００２５】
シャフト３００に負荷がかかると、一対の半円筒部２１１ａ，２１２ａには、それらを分離しようとする力がかかるが、それらは孔部２１３ａに挿入されているため、それらの分離はプレート部材２１３によって抑え込まれる。つまり、プレート部材２１３が補強部材として効果的に作用する構成となっている。
【００２６】
このような構成によると、シャフト３００の支持強度を十分に確保するとともに、駆動装置１の内部構造を簡素化し、更に組み付け作業を容易化することができる。すなわち、シャフト３００を中心に上部筐体２２０を下部筐体２１０に対して回転する駆動装置については、下部筐体２１０に対するシャフト３００の支持構造が非常に重要な課題となる。シャフト３００が下部筐体２１０の内部に延出していると、下部筐体２１０の内部のレイアウトが著しく制約されてしまうためである。本例によれば、そのような不都合を確実に回避することができる。
【００２７】
以上説明したように、本例の駆動装置は、人形型の目覚し時計を構成する装置として極めて合理的に構成されたものである。尚、本例における各部の構成は、特許請求の範囲に記載した技術的範囲において適宜に設計変更が可能であり、図例説明したものに限定されないことは勿論である。
【産業上の利用可能性】
【００２８】
本発明の駆動装置は、人形型の目覚し時計を構成する装置として好適に利用することが可能である。
【図面の簡単な説明】
【００２９】
【図１】本発明の実施例に係り、駆動装置を示す正面図である。
【図２】本発明の実施例に係り、駆動装置を示す部分透視正面断面図である。
【図３】本発明の実施例に係り、駆動装置を示す部分透視側面断面図である。
【図４】本発明の実施例に係り、軸受ボス、カム体、シャフト、第１下部筐体部材、第２下部筐体部材、及びプレート部材を示す側面断面図である。
【図５】本発明の実施例に係り、（ａ）は軸受ボス及びシャフトを示す正面断面図であり、（ｂ）は（ａ）のＡ部拡大図である。
【図６】本発明の実施例に係り、プレート部材及び駆動手段の要部を示す部分透視上面図である。
【図７】本発明の実施例に係り、（ａ）はプレート部材の上面図、（ｂ）はプレート部材の正面断面図、（ｃ）はプレート部材の側面図、（ｄ）はプレート部材の下面図である。
【符号の説明】
【００３０】
１    駆動装置
１１０    計時手段
１２０    電池ボックス
１３０    時刻表示部
１４０    操作子
２１０    下部筐体
２１１    第１下部筐体部材
２１１ａ    半円筒部
２１２    第２下部筐体部材
２１２ａ    半円筒部
２１３    プレート部材
２１３ａ    孔部
２１３ｂ    通孔
２１３ｃ    通孔
２１３ｄ    雌ねじボス
２２０    上部筐体
２２０ａ    音孔
２２０ｂ    軸受ボス
２２０ｃ    装着部
２２０ｄ    突片
２２０ｅ    円筒部
２２０ｆ    開口部
３００    シャフト
４００    駆動手段
４１０    モータ
４２０    回転出力部
４３０    カム体
４４０    弾性体
５００    スピーカ
【図１】
0004745355.tif 000002
【図２】
0004745355.tif 000003
【図３】
0004745355.tif 000004
【図４】
0004745355.tif 000005
【図５】
0004745355.tif 000006
【図６】
0004745355.tif 000007
【図７】
0004745355.tif 000008